(57)【要約】【課題】外被把持型光コネクタが内向き突起を持つ外被把持部材を用いる構造である場合に、対象とする光ファイバケーブルの太さが変わっても安価に対応可能にする。【解決手段】外被把持型光コネクタのコネクタハウジングに固定される外被把持部材１１は、外被把持部材本体１２と薄肉ヒンジで結合した蓋部１３とからなる筒状中空をなし、内面に内向き突起（１４ｂ等）を有する。アタッチメント２０は外被把持部材１２の筒状中空部１９に挿入可能な外形を有するとともに、アタッチメント本体２１とこのアタッチメント本体２１にヒンジにより開閉可能に取り付けられた蓋部とからなる筒状中空をなし、内面に、蓋部を閉じた時に筒状中空部２６に収容した光ドロップケーブル５の外被５ｂに食い込む態様の内向き突起（２４ｃ、２４ｄ等）を有する。対象とする光ドロップケーブルのサイズが変わった時はその太さに合ったアタッチメントと交換するだけで対応できる。【選択図】図９
2010091639.tif 000002
【特許請求の範囲】
【請求項１】
外被把持部材本体とこの外被把持部材本体にヒンジにより開閉可能に取り付けられた蓋部とからなる筒状中空をなし内面に内向き突起を有する構造の外被把持型光コネクタ用の樹脂製の外被把持部材を用いて光ファイバケーブルを把持する際に、光ファイバケーブルとともに外被把持部材に取り付けられる光ファイバケーブル用のアタッチメントであって、
外被把持部材の筒状中空部に挿入可能な外形を有するとともに、アタッチメント本体とこのアタッチメント本体にヒンジにより開閉可能に取り付けられた蓋部とからなる筒状中空をなす樹脂製で、内面に、蓋部を閉じた時に筒状中空部に収容した光ファイバケーブルの外被に食い込む態様の内向き突起を有することを特徴とする光ファイバケーブル用のアタッチメント。
【発明の詳細な説明】
【技術分野】
【０００１】
この発明は、外被把持型光コネクタ用の外被把持部材で光ファイバケーブルを把持する際に用いる光ファイバケーブル用のアタッチメントに関する。
【背景技術】
【０００２】
現場付け光コネクタは、一般に短尺の光ファイバを内蔵しかつ予め接続端面の研磨を済ませた構造であり、現場では前記内蔵光ファイバに別の光ファイバを突き合わせることで、前記別の光ファイバの光コネクタ接続が可能となるので、作業性が良好である。
特に、ＦＴＴＨ用の光ドロップケーブルや光インドアケーブルに取り付ける現場付け光コネクタとして、光ドロップケーブルや光インドアケーブル（以下、光ドロップケーブルの場合として述べる）の外被部分を把持してコネクタハウジングに引き留める外被把持型光コネクタが、さらに作業性がよいのでしばしば用いられる。
【０００３】
従来、外被把持型光コネクタのコネクタハウジングに光ドロップケーブル引き留める構造として、図１１（イ）、（ロ）に示すような外被把持部材（引留め部材）１が用いられている。
この外被把持部材１は、図１１（ロ）に示すように、外被把持部材本体（引留部材支持部）２とこの外被把持部材本体２にヒンジにより開閉可能に取り付けられた蓋部３とからなる筒状中空をなし内面に内向き突起（凹凸把持部）４を有している。
外被把持部材１の蓋部３を開いて光ドロップケーブル５を収容し、蓋部３を閉じて押し込むと、外被把持部材１の内面の内向き突起４が光ドロップケーブル５の外被５ｂに食い込んで、光ドロップケーブル５を把持する。５ａは光ファイバコードである。この状態で外被把持部材１を外被把持型光コネクタのコネクタハウジングに固定する。
外被把持部材１をコネクタハウジングに固定する構造は、例えば特許文献１のようにスライド台や案内基盤部を介在させる等で複雑になり（特許文献１の図２、図３、図５、図９など参照）、それに応じて外被把持部材の形状も複雑なものとなる（なお、図１１（イ）では簡略化して示した）。
【特許文献１】特開２００７−１２１８６０
【発明の開示】
【発明が解決しようとする課題】
【０００４】
上記従来の外被把持部材１は、内面の内向き突起４を光ドロップケーブル５の外被５ｂに食い込ませる構造であるから、筒状中空の外被把持部材の内部形状（内径及び内向き突起の突出長さ）は光ドロップケーブルの太さに適切に対応させる必要がある。
したがって、光ドロップケーブルの径が変わるたびに、外被把持部材を一から作り直さなければならず、金型費用が高く付く上、外被把持部材の種類が多くなるので、外被把持型光コネクタのコストが高くなる。
【０００５】
本発明は上記従来の欠点を解消するためになされたもので、外被把持型光コネクタが内向き突起を持つ外被把持部材を用いる構造である場合に、対象とする光ファイバケーブルの太さが変わっても、安価に対応することができる光ファイバケーブル用のアタッチメントを提供することを目的とする。
【課題を解決するための手段】
【０００６】
上記課題を解決する本発明は、外被把持部材本体とこの外被把持部材本体にヒンジにより開閉可能に取り付けられた蓋部とからなる筒状中空をなし内面に内向き突起を有する構造の外被把持型光コネクタ用の樹脂製の外被把持部材を用いて光ファイバケーブルを把持する際に、光ファイバケーブルとともに外被把持部材に取り付けられる光ファイバケーブル用のアタッチメントであって、
外被把持部材の筒状中空部に挿入可能な外形を有するとともに、アタッチメント本体とこのアタッチメント本体にヒンジにより開閉可能に取り付けられた蓋部とからなる筒状中空をなす樹脂製で、内面に、蓋部を閉じた時に筒状中空部に収容した光ファイバケーブルの外被に食い込む態様の内向き突起を有することを特徴とする。
【発明の効果】
【０００７】
本発明を実施する場合、対象とする種々の光ファイバケーブルの太さに合った複数種類のアタッチメントを予め用意しておく。対象とする光ファイバケーブルの太さが変わった場合は、その光ファイバケーブルの太さに合ったアタッチメントと交換するだけで、対応することができる。
外被把持部材の内部に設けるアタッチメントの形状は、複雑な構造となる外被把持部材と比べてかなり単純な形状で済むので、光ファイバケーブルの太さに合わせて外被把持部材を作製する場合と比べて、かなり安価に済む。
【発明を実施するための最良の形態】
【０００８】
以下、本発明を実施した光ファイバケーブル用のアタッチメントについて、図面を参照して説明する。
【実施例１】
【０００９】
図１は本発明の一実施例の光ファイバケーブル用のアタッチメント２０を使用する状況を説明する簡略図、図２は実施例で対象とする光ドロップケーブル（光ファイバケーブル）５の断面図である。
光ドロップケーブル５の外被５ｂをアタッチメント２０で把持し、この状態で図９、図１０に示すように外被把持部材１１の内部に固定する。５ａは光ファイバコード、５ｃはテンションメンバである。
【００１０】
前記外被把持部材１１は樹脂一体成形品であり、図３に斜視図で示すように、上向きコ字形断面の外被把持部材本体１２とこの外被把持部材本体１２に薄肉ヒンジ部１６により開閉可能に取り付けられた蓋部１３とからなる筒状中空をなし、内面に内向き突起１４を有している。
内向き突起１４として、外被把持部材本体１２の両側壁部１２ａ、１２ｂの内面の内向き突起１４ａ、及び、蓋部１３の内面の内向き突起１４ｂを設けている。なお、外被把持部材本体１２の底部に設けてもよい。
蓋部１３側に係止爪１７が設けられ、一方の側壁部１２ａに前記係止爪１７を係止させる係止用切欠き１８が設けられている。
この外被把持部材１１自体は特に新規な構造というものではないが、その従来の使用の仕方としては、図１１に示した従来の外被把持部材１と同様に、光ファイバケーブル５の外被５ｂを直接把持するものである。しかし、本発明では前記のように、アタッチメント２０を介して光ファイバケーブル５の外被５ｂを把持する。
【００１１】
アタッチメント２０の構造を図４〜図８に示す。このアタッチメント２０は、ある程度軟質の樹脂による一体成形品であり、前記外被把持部材１１の筒状中空部（蓋部１３を閉じた状態で筒状中空部）１９に挿入可能な外形を有し、アタッチメント本体２１とこのアタッチメント本体２１に薄肉ヒンジ２２により開閉可能に取り付けられた蓋部２３とからなる筒状中空をなしている。
図示例では、蓋部２３が側壁となる態様で設けられている。
蓋部２３とアタッチメント本体２１とは、例えば図８に示すようなラッチ構造２５で互いに係止する。
そして、内面に、蓋部２３を閉じた時に、筒状中空部１９に収容した光ファイバケーブル５の外被５ｂに食い込む態様の内向き突起２４を有している。
実施例では内向き突起２４として、図６に示すように、アタッチメント２０の両側壁部（すなわち、アタッチメント本体２１側の側壁部２１ａと蓋部２３側の側壁部２３ａ）の内向き突起２４ａ、２４ｂと、アタッチメント本体２１の上面部２１ｃの内向き突起２４ｃと、アタッチメント本体２１の底部２１ｄの内向き突起２４ｄとを設けている。
また、アタッチメント２０の前端の底部に前方に延出する案内部２１ｅを設けている。
【００１２】
実施例の外被把持部材１１は、本来は断面寸法（幅×高さ）が２ｍｍ×３ｍｍの光ドロップケーブルを想定しているサイズである。この外被把持部材１１に対して複数サイズのアタッチメントを用意しておく。例えば、断面寸法が（１．０〜１．６）ｍｍ×２ｍｍの範囲の複数サイズの光ドロップケーブルに合わせた複数サイズのアタッチメントを用意しておく。
【００１３】
光ドロップケーブル５を外被把持型光コネクタのコネクタハウジングに引き留める際には、まず、光ドロップケーブル５の先端側の所定長さ部分の外被５ｂを除去して、光ファイバコード５ａを露出させ、上記のアタッチメント２０で光ドロップケーブル５の外被５ｂ部分を把持する。
この場合、アタッチメント２０の蓋部２３を開き、光ドロップケーブル５の外被５ｂの部分を内部に収容し、蓋部２３を閉じる。すると、アタッチメント本体２１側の内向き突起２４ａ、２４ｃ、２４ｄ、及び蓋部２３側の内向き突起２４ｂが光ドロップケーブル５の外被５ｂに食い込んで、光ドロップケーブル５を把持する。
次いで、外被把持部材１１の蓋部１３を開き、光ドロップケーブル５を把持した前記アタッチメント２０を外被把持部材本体１２内に収容し、蓋部１３を閉じる。すると、外被把持部材１１の内向き突起１４ａ、１４ｂがアタッチメント２０の外面に食い込んで、アタッチメント２０を把持する。
これにより、光ドロップケーブル５がアタッチメント２０を介して外被把持部材１２に把持される。
この状態で外被把持部材１１を、図示略の外被把持型光コネクタのコネクタハウジングに固定する。コネクタハウジングに固定する手段は特に限定されないが、例えば特許文献１と同様にスライド台及び案内基盤部を介して固定することができる。
【００１４】
対象とする光ドロップケーブルのサイズが変わった時は、その光ドロップケーブルの太さに合ったアタッチメントと交換するだけで、対応することができる。
外被把持部材１１の内部に設けるアタッチメント２０の形状は、複雑な構造となる外被把持部材と比べてかなり単純な形状で済むので、光ドロップケーブルの太さに合わせて外被把持部材を作製する場合と比べて、かなり安価に済む。
本発明のアタッチメントは、光ドロップケーブルや光インドアケーブルに限らず、一般的な外被把持型光コネクタが対象とする各種の光ファイバケーブルに適用することができる。
【図面の簡単な説明】
【００１５】
【図１】は本発明の一実施例の光ファイバケーブル用のアタッチメントを使用する状況を説明する簡略図である。
【図２】図１における光ドロップケーブル（光ファイバケーブル）の断面図である。
【図３】図１における外被把持部材を、その蓋部を開いた状態で示した斜視図である。
【図４】図１におけるアタッチメントの斜視図である。
【図５】図４のアタッチメントの平面図である。
【図６】図５のＡ−Ａ断面図である。
【図７】図５のＢ−Ｂ断面図である。
【図８】上記アタッチメントにおけるラッチ構造部分の断面図である。
【図９】図１の状態からアタッチメントを外被把持部材内に固定した状態で示した縦断面図である。
【図１０】図１の状態からアタッチメントを外被把持部材内に固定した状態で示した水平断面図である。
【図１１】従来構造を示すもので、（イ）は外被把持型光コネクタにおける外被把持部材の斜視図、（ロ）は（イ）の外被把持部材の水平断面図である。
【符号の説明】
【００１６】
５  光ドロップケーブル（光ファイバケーブル）
５ａ  光ファイバ心線
５ｂ  外被
１１  外被把持部材
１２  外被把持部材本体
１３  （外被把持部材の）蓋部
１４ａ、１４ｂ、１４ｃ  （外被把持部材の）内向き突起
１６  （外被把持部材の）薄肉ヒンジ部
１７  ラッチ部
１８  係合穴
１９  筒状中空部
２０  アタッチメント
２１  アタッチメント本体
２１ａ、２３ａ  （アタッチメントの）側壁部
２１ｃ  上面部
２１ｄ  底部
２２  （アタッチメントの）薄肉ヒンジ部
２３  （アタッチメントの）蓋部
２３ａ  側壁部
２４、２４ａ、２４ｂ、２４ｃ、２４ｄ  （アタッチメントの）内向き突起
２５  ラッチ構造
【図１】
2010091639.tif 000003
【図２】
2010091639.tif 000004
【図３】
2010091639.tif 000005
【図４】
2010091639.tif 000006
【図５】
2010091639.tif 000007
【図６】
2010091639.tif 000008
【図７】
2010091639.tif 000009
【図８】
2010091639.tif 000010
【図９】
2010091639.tif 000011
【図１０】
2010091639.tif 000012
【図１１】
2010091639.tif 000013